(57)【要約】【課題】寝つきを改善できる寝衣を提供する。【解決手段】寝衣において、首周りに位置する最内周の生地、脇に位置する最内周の生地、及び内太ももに位置する最内周の生地からなる群より選ばれた１以上の生地のｑmax値が、他のいずれかに位置する生地のｑmax値よりも高いことを特徴とする。首周りに位置する最内周の生地、脇に位置する最内周の生地、及び内太ももに位置する最内周の生地からなる群より選ばれた１以上の生地のｑmax値は、０．２０Ｊ／ｓｅｃ／ｃｍ2以上であることが好ましい。【選択図】図１
2013044062.tif 000002
【特許請求の範囲】
【請求項１】
寝衣において、
首周りに位置する最内周の生地、脇に位置する最内周の生地、及び内太ももに位置する最内周の生地からなる群より選ばれた１以上の生地のｑmax値が、他のいずれかに位置する生地のｑmax値よりも高いことを特徴とする、寝衣。
【請求項２】
前記首周りに位置する最内周の生地、脇に位置する最内周の生地、及び内太ももに位置する最内周の生地からなる群より選ばれた１以上の生地のｑmax値は、０．２０Ｊ／ｓｅｃ／ｃｍ2以上であることを特徴とする、請求項１に記載の寝衣。
【請求項３】
前記他のいずれかに位置する生地は、腹部に位置する生地であることを特徴とする、請求項１または２に記載の寝衣。
【発明の詳細な説明】
【技術分野】
【０００１】
本発明は、寝衣に関し、より特定的には夏季用の寝衣に関する。
【背景技術】
【０００２】
夏季用の寝衣として、例えば登録実用新案公報第３０２４３００号（特許文献１）が挙げられる。特許文献１には、首下から胸部、及び、背部にあたる部分を、他の部分よりも、熱を逃しやすく涼しいと共に接触温冷感が冷たく感じる熱移動特性を有する素材で構成した寝衣が記載されている。特許文献１の寝衣は、寝衣内の温度の上昇率が高く、暑苦しさを感じる首下から胸部と、背部とにあたる部分に、保温性が低く、熱を逃しやすい素材を用いているので、寝衣内の温度が上昇しても、熱を逃がして寝衣内の温度を低下することにより、快適な睡眠を得ることができるようにしていることが特許文献１には記載されている。
【先行技術文献】
【特許文献】
【０００３】
【特許文献１】登録実用新案公報第３０２４３００号
【発明の概要】
【発明が解決しようとする課題】
【０００４】
しかしながら、本発明者は、上記特許文献１の寝衣を着用した場合、寝つきの改善には十分でないことを見出した。
【０００５】
本発明は、上記問題点に鑑み、寝つきを改善できる寝衣を提供することを課題とする。
【課題を解決するための手段】
【０００６】
本発明者は、上記特許文献１の寝衣において寝つきの改善が十分でないことは、上記特許文献１の寝衣は暑苦しさを感じる部分を冷やしているだけであることに起因していることを見出した。
また、本発明者は、寝つきを改善するためには、体の深部を冷やすことが効果的であることを見出して、本発明を完成させた。
【０００７】
本発明の寝衣は、首周りに位置する最内周の生地、脇に位置する最内周の生地、及び内太ももに位置する最内周の生地からなる群より選ばれた１以上の生地のｑmax値が、他のいずれかに位置する生地のｑmax値よりも高いことを特徴とする。
【０００８】
本発明の寝衣によれば、首周りに位置する最内周の生地、脇に位置する最内周の生地、及び内太ももに位置する最内周の生地からなる群より選ばれた１以上の生地の接触冷感性能を示すｑmax値が高い。首周り、脇、及び内太ももには、太い動脈が通っているので、首周り、脇、及び内太ももの少なくとも１箇所を冷やすことにより、体の深部を冷やすことができる。したがって、本発明は、寝つきを改善できる寝衣を提供することができる。
【０００９】
本発明の寝衣において好ましくは、首周りに位置する最内周の生地、脇に位置する最内周の生地、及び内太ももに位置する最内周の生地からなる群より選ばれた１以上の生地のｑmax値は、０．２０Ｊ／ｓｅｃ／ｃｍ2以上であることを特徴とする。
【００１０】
ｑmax値が０．２０Ｊ／ｓｅｃ／ｃｍ2以上の場合、冷感をより強く感じるので、体の深部をより冷やすことができる。したがって、寝つきをより改善できる寝衣を提供することができる。
【００１１】
本発明の寝衣において好ましくは、上記他のいずれかに位置する生地は、腹部に位置する生地であることを特徴とする。
【００１２】
腹部の血流は相対的に少なく、腹部の活動量も相対的に少ないため、腹部は冷やさないことが好ましい。腹部に位置する生地のｑmax値を首周りに位置する生地、脇に位置する生地、及び内太ももに位置する生地からなる群より選ばれた１以上の生地のｑmax値よりも低くすることで、腹部を冷やすことを抑制できる。
さらに、腹部を冷やさずに、首周り、脇、及び内太ももの少なくとも１箇所を冷やすことで、冷やす箇所の冷感をより実感することができる。
したがって、寝つきをより改善できる寝衣を提供することができる。
【発明の効果】
【００１３】
本発明の寝衣によれば、寝つきを改善できる寝衣を提供することができる。
【図面の簡単な説明】
【００１４】
【図１】本発明の実施の形態における寝衣を構成する上衣の左右前身頃を閉じた状態を概略的に示す正面図である。
【図２】本発明の実施の形態における寝衣を構成する上衣の左右前見頃を開いた状態を概略的に示す正面図である。
【図３】本発明の実施の形態における寝衣を構成する上衣の左右前見頃を開いた状態を概略的に示す背面図である。
【図４】本発明の実施の形態における寝衣を構成する上衣の衿近傍を概略的に示し、図２における領域ＩＶの拡大図である。
【図５】本発明の実施の形態における寝衣を構成する上衣の右脇近傍を概略的に示し、図３における領域Ｖの拡大図である。
【図６】本発明の実施の形態における寝衣を構成する下衣の表面側を概略的に示す正面図である。
【図７】本発明の実施の形態における寝衣を構成する下衣の裏面側を概略的に示す正面図である。
【図８】実施例において、首周りに位置する生地のｑmax値が、他のいずれかに位置する生地のｑmax値よりも高いことによる効果を示す図である。
【図９】実施例において、首周りに位置する生地のｑmax値が、他のいずれかに位置する生地のｑmax値よりも高いことによる効果を示す図である。
【図１０】実施例において、首周りに位置する生地のｑmax値が、他のいずれかに位置する生地のｑmax値よりも高いことによる効果を示す図である。
【図１１】実施例において、首周りに位置する生地のｑmax値が、他のいずれかに位置する生地のｑmax値よりも高いことによる効果を示す図である。
【発明を実施するための形態】
【００１５】
以下、図１〜図７を参照して、本発明の一実施の形態における寝衣について説明する。本実施の形態の寝衣は、図１〜図５に示す上衣１００と、図６及び図７に示す下衣２００とを備えている。
【００１６】
まず、図１〜図５を参照して、寝衣を構成する上衣１００について説明する。
図１〜図５に示すように、上衣１００は、左前身頃１１０と、右前身頃１２０と、後身頃１３０と、衿部１４０と、左腕部１５０と、右腕部１６０と、冷感部１７１〜１７３とを備えている。
【００１７】
左前身頃１１０は、前方左側に位置する生地である。左前身頃１１０は、例えばボタン１２１を着脱自在にする係止部１１１を有する。係止部１１１は、例えば、開口部である。
右前身頃１２０は、前方右側に位置する生地である。右前身頃１２０は、例えば係止部１１１に着脱可能なボタン１２１を有する。
左右前身頃１１０、１２０において、腹部に位置する領域（図１において、例えば左右前身頃１１０、１２０の鉛直方向の半分よりも下方に位置する領域）には、後述する接触冷感を感じさせる生地が配置されていないことが好ましい。つまり、腹部に位置する生地のｑmax値は、首周りに位置する最内周の生地、脇に位置する最内周の生地、及び内太ももに位置する最内周の生地からなる群より選ばれた１以上の生地のｑmax値よりも低いことが好ましい。
後身頃１３０は、左右前身頃１１０、１２０と接続され、後方に位置する生地である。
【００１８】
衿部１４０は、左右前身頃１１０、１２０及び後身頃１３０と接続され、首周りに位置する生地である。衿部１４０は、ワイシャツの衿と同様に、首周りに沿うように形成されている。
衿部１４０は、左右前身頃１１０、１２０及び後身頃１３０の上端部と接続された土台部１４１と、土台部１４１と連なった折返部１４２とを有している。土台部１４１と折返部１４２とは、別部材が縫合されてもよく、一体成形されてもよい。
土台部１４１は、着用時に鉛直方向に立つことが可能なように形成されている。折返部１４２は、土台部１４１の上方に接続され、首周り方向に沿って外側に折り返された衿を構成する。
【００１９】
左右腕部１５０、１６０のそれぞれは、左右前身頃１１０、１２０と後身頃１３０のそれぞれと接続され、左右の腕の少なくとも一部を覆う生地である。
【００２０】
冷感部１７１〜１７３は、接触冷感を感じさせる生地であり、冷感部１７１〜１７３のｑmax値は、他のいずれかに位置する生地のｑmax値よりも高い。冷感部１７１〜１７３については後述する。
【００２１】
冷感部１７１〜１７３は、最内周に位置する生地である。言い換えると、冷感部１７１〜１７３は、着用時に肌に接触するように配置されている。さらに言い換えると、最内周に、冷感部１７１〜１７３が配置され、その外周側に、他の領域に配置された生地と同様の生地が配置されている。
なお、外周側に配置される生地は省略されてもよい。つまり、首周りに位置する生地は冷感部１７１のみであってもよく、背部に位置する生地は冷感部１７２のみであってもよく、脇部に位置する生地は冷感部１７３のみであってもよい。
また、外周側に冷感部１７１〜１７３と異なる生地が配置される場合には、外周側の生地は１層であってもよく、複数層であってもよい。
冷感部１７１〜１７３の外周側に他の生地が配置されている場合には、冷感部１７１〜１７３と他の生地とは、例えば、互いに縫合されている。
【００２２】
具体的には、冷感部１７１は、図２及び図４に示すように、衿部１４０の土台部１４１の最内周に配置されている。冷感部１７１は、土台部１４１の一部に形成されていてもよいが、土台部１４１全体に形成されていることが好ましい。本実施の形態では、土台部１４１が首周り全周に形成されているので、土台部１４１全体に冷感部１７１を形成することにより、冷感部１７１を首周り全周に形成できる。冷感部１７１は、総頚動脈を冷やすために形成されている。
【００２３】
冷感部１７２は、図２及び図４に示すように、土台部１４１下であって、かつ左右前身頃１１０、１２０及び後身頃１３０の上部の最内周に配置されている。冷感部１７２は、首周りに位置する冷感部１７１の下端と連なっている。
左右前身頃１１０、１２０に形成された冷感部１７２は、左前身頃１１０の左端及び右前身頃１２０の右端に沿って配置され、下方から上方（冷感部１７１との接続位置）に向けてテーパ状に幅が広がっている。左右前身頃１１０、１２０における冷感部１７２の下方端は、例えば、鎖骨より下の大胸筋に位置する。
後身頃１３０に形成された冷感部１７２は、鉛直方向に沿った中心軸に対して左右対称であり、下方から上方（冷感部１７１との接続位置）に向けてテーパ状に幅が広がっている。後身頃１３０における冷感部１７２の下方端は、例えば、僧帽筋に位置する。
【００２４】
冷感部１７３は、図５に示すように、左右前身頃１１０、１２０と、後身頃１３０と、左右腕部１５０、１６０との接続領域である脇部の最内周に配置されている。冷感部１７３は、上腕動脈を冷やすために形成されている。
なお、図５において、右前身頃１２０（左前身頃１１０）と、後身頃１３０とは、縫合部１８１で縫合されており、右前身頃１２０（左前身頃１１０）及び後身頃１３０と、右腕部１６０（左腕部１５０）とは、縫合部１８２で縫合されている。図５において、冷感部１７３の平面形状は、縫合部１８１、１８２上を頂点とする四角形である。冷感部１７３の平面形状は特に限定されず、円形、楕円形、多角形などであってもよい。
【００２５】
次に、図６及び図７を参照して、寝衣を構成する下衣２００について説明する。
図６及び図７に示すように、下衣２００は、左足部２１０と、右足部２２０と、履き口部２３０と、冷感部２４０を備えている。
【００２６】
左足部２１０は左足の少なくとも一部を覆う生地であり、右足部２２０は右足の少なくとも一部を覆う生地である。左右足部２１０、２２０の下方は開口している。左足部２１０及び右足部２２０は、足の付け根（股部）で連なっている。
履き口部２３０は、左右足部２１０、２２０の上端に位置し、開口部を形成している。履き口部２３０は、例えばゴムを有する。
【００２７】
下衣２００において、履き口部２３０を含み、かつ股部よりも上方の腹部に位置する生地のｑmax値は、首周りに位置する最内周の生地（冷感部１７１）、脇に位置する最内周の生地（冷感部１７２）、及び内太ももに位置する最内周の生地（冷感部２４０）のｑmax値よりも低い。
【００２８】
冷感部２４０は、太ももの内周側である内太ももに位置する。冷感部２４０は、大体動脈を冷やす。本実施の形態の冷感部２４０は、左右の膝上から股部にかけて延在し、かつ前太ももの真ん中よりも内側に位置する領域に形成されている。
【００２９】
ここで、冷感部１７１〜１７３、２４０を構成する生地について説明する。
冷感部１７１〜１７３、２４０を構成する生地のｑmax値は、他のいずれかに位置する生地（本実施の形態では、冷感部１７１〜１７３、２４０以外の生地）のｑmax値よりも高く、０．２０Ｊ／ｓｅｃ／ｃｍ2以上であることが好ましく、０．２１Ｊ／ｓｅｃ／ｃｍ2以上であることがより好ましく、０．２２Ｊ／ｓｅｃ／ｃｍ2以上であることがより一層好ましい。ｑmax値が０．２０Ｊ／ｓｅｃ／ｃｍ2以上であると、接触した瞬間に、皮膚から熱を奪う能力が大きいので、官能試験を行なった場合に、接触冷感を感じる割合が高く、０．２１Ｊ／ｓｅｃ／ｃｍ2以上であると、接触冷感を感じる割合がより高く、０．２２Ｊ／ｓｅｃ／ｃｍ2以上であると、接触冷感を感じる割合がより一層高い。
【００３０】
「ｑmax値」とは、一定面積、一定質量の熱板に所定の熱を蓄え、これが試料表面に接触した直後、蓄えられた熱量が低温側の試料に移動する熱流量のピーク値である。ｑmax値は、着衣したときに試料に奪われる体温をシミュレートしていると考えられ、ｑmax値が大きいほど着衣時に奪われる体温が大きく、接触冷感が高いと考えられる。
ｑmax値は、例えば、２０．５℃の温度に設定した試料台の上に生地を置き、生地の上に３２．５℃の温度に温められた貯熱板を接触圧０．０９８Ｎ／ｃｍ2で重ねた直後、蓄えられた熱量が低温側の試料に移動する熱量のピーク値を測定して得られる値である。測定には、例えばサーモラボＩＩ型精密迅速熱物性測定装置（カトーテック社製）を用いる。
【００３１】
また、冷感部１７１〜１７３、２４０の平衡吸水率は０．４％以上０．６％以下であることが好ましい。このように、平衡吸水率を低く維持することで、水との親和性が低いために、水分が気化しやすく、気化熱による冷却効果を奏する。このため、冷感部１７１〜１７３の平衡吸水率を上記範囲内にすることにより、冷感機能の持続性を高めることができる。この観点から、汗をかきやすい首及び脇に位置する冷感部１７１、１７３の平衡吸水率は０．４％以上０．６％以下であることが好ましい。
【００３２】
「平衡吸水率」は、下記式で算出される。
平衡吸水率（％）＝（乾燥前重量（ｇ）−絶乾重量（ｇ））／絶乾重量（ｇ）×１００
乾燥前重量とは、２０℃・６５％の標準状態で生地と空気中の水分移動が平衡状態になる重量である。絶乾重量とは、１０５℃の温度で２時間乾燥させた状態の重量である。
【００３３】
冷感部１７１〜１７３、２４０を構成する繊維は、例えば熱可塑性エラストマー及び無機フィラーを含有する。このような冷感部１７１〜１７３、２４０は、例えば、熱可塑性エラストマーを紡糸して得た繊維で形成された生地である。他のいずれかに位置する生地（本実施の形態における冷感部１７１〜１７３、２４０以外の生地）は、例えば綿、レーヨン、ポリエステルなどである。
【００３４】
以上説明したように、本実施の形態の寝衣は、寝衣を構成する上衣１００及び下衣２００において、首周りに位置する生地（冷感部１７１）、脇に位置する生地（冷感部１７３）、及び内太ももに位置する生地（冷感部２４０）からなる群より選ばれた１以上の生地のｑmax値が、他のいずれかに位置する生地のｑmax値よりも高い。
【００３５】
本実施の形態の寝衣によれば、首周りに位置する生地（冷感部１７１）、脇に位置する生地（冷感部１７３）、及び内太ももに位置する生地（冷感部２４０）からなる群より選ばれた１以上の生地の接触冷感性能を示すｑmax値が高い。首周りには総頚動脈が通っており、脇には上腕動脈が通っており、内太ももには大腿動脈が通っている。これらの動脈は太い動脈であるので、首周り、脇、及び内太ももの少なくとも１箇所を冷やすことにより、体の深部を冷やすことができる。体の深部を冷やすことにより、眠りに入りやすくなる。したがって、本実施の形態の寝衣は、寝つきを改善することができる。
【００３６】
特に、首周りに位置する生地（冷感部１７１）のｑmax値が、他のいずれかに位置する生地のｑmax値よりも高いことが好ましい。寝るときは起きているときよりも脳への血流が滞るので、脳に近い位置の首の動脈を冷やすことで、脳へ流れる割合の大きい首からの血液を冷やすことができるので、寝つきを改善できる。
【００３７】
上述したように、本実施の形態の寝衣は、体の深部を冷やすために動脈を冷やすことに着目して完成されたものである。このため、本実施の形態の寝衣は、暑い季節（夏季）や暑い地方で好適に用いられる。
【００３８】
なお、本発明において、ｑmax値が高い生地は、首周り、脇、及び内太ももの少なくともいずれかに位置していればよく、背部など他の部分に位置していてもよい。また、上記「他のいずれかに位置する生地」とは、冷感部１７１、１７３、２４０よりもｑmax値が低い生地（例えばｑmax値が０．２０Ｊ／ｓｅｃ／ｃｍ2未満）であり、例えば冷やさないことが好ましい腹部などに位置する生地である。
【００３９】
ここで、本実施の形態の寝衣は、上衣１００と下衣２００とを含むセパレート型を例に挙げて説明したが、本発明の寝衣は、上半身用と下半身用とが一体となったネグリジェのようなワンピース型であってもよい。ワンピース型の場合、内太ももに位置する生地は省略されてもよい。本発明の寝衣がセパレート型である場合には、下衣は、膝下まで覆う長ズボン型でもよく、膝下が露出した半ズボン型でもよい。本発明の寝衣がワンピース型である場合には、膝下まで覆うロング丈でもよく、膝下が露出したショート丈でもよい。
また、本発明の寝衣の左右腕部は、長袖でもよく、半袖でもよく、腕部が省略されたノースリーブでもよい。本発明の寝衣がノースリーブの場合には、脇部に位置する冷感部１７３は省略されてもよく、左右前身頃１１０、１２０及び後身頃１３０とが縫合された側部のみに形成されていてもよい。
【実施例】
【００４０】
本実施例では、首周りに位置する最内周の生地のｑmax値が、他のいずれかに位置する生地のｑmax値よりも高いことによる効果を調べた。
【００４１】
（実施例１）
実施例１の寝衣は、首周りに位置する最内周の生地のｑmax値が、他のいずれかに位置する生地のｑmax値よりも高かった。
具体的には、上述した実施の形態の寝衣において、図５に示す冷感部１７３及び図７に示す冷感部２４０を備えず、図１及び図４に示す冷感部１７１、１７２を備えていた。冷感部１７１、１７２を構成する生地は、０．２０１Ｊ／ｓｅｃ／ｃｍ2のｑmax値を有する熱可塑性エラストマーを紡糸して得た繊維およびポリエステルで形成された生地（組成比６５％：３５％）であり、他のいずれかに位置する生地（実施例１では、冷感部１７１、１７２以外の生地）は０．１５７Ｊ／ｓｅｃ／ｃｍ2のｑmax値を有する綿であった。上衣１００は半袖であり、下衣２００は半ズボンであった。
【００４２】
なお、上記ｑmax値は、２０．５℃の温度に設定した試料台の上に生地を置き、生地の上に３２．５℃の温度に温められた貯熱板を接触圧０．０９８Ｎ／ｃｍ2で重ねた直後、蓄えられた熱量が低温側の試料に移動する熱量のピーク値を測定して得られる値とした。測定には、サーモラボＩＩ型精密迅速熱物性測定装置（カトーテック社製）を用いた。
【００４３】
（比較例１）
比較例１の寝衣は、冷感部１７１、１７２を備えていない点において、実施例１と異なっていた。つまり、比較例１の寝衣は、同一の生地で構成された上衣及び下衣を備えていた。
【００４４】
（評価方法）
室温が２９℃で湿度が６０％の部屋で、実施例１及び比較例１の寝衣を被験者に着用し、手背及び腹の皮膚温度を測定するためのセンサを付けた。その３０分後に、室温が２９℃で湿度が６０％の別の部屋で、被験者をベッドに就床させた。このとき、掛け布団はなかった。この状態で、１０分毎に、手背及び腹の皮膚温度を測定した。その結果を図８及び図９にそれぞれ示す。なお、図８及び図９において、縦軸は、手背及び腹の皮膚温度（単位：℃）を示し、横軸は寝衣を着用してからの経過時間（単位：分）を示す。図８及び図９において、３０分の時点から、就寝するために被験者がベッドに入っている。
また、図８及び図９において寝衣を着用した時点を基準にして手背及び腹の皮膚温度の変化量を求めた結果を図１０及び図１１に示す。なお、図１０及び図１１において、縦軸は、手背及び腹の皮膚温度の変化量（単位：℃）を示し、横軸は寝衣を着用してからの経過時間（単位：分）を示す。図１０及び図１１において、３０分の時点から、就寝するために被験者がベッドに入っていた。
【００４５】
（評価結果）
図１０及び図１１に示すように、実施例１の寝衣を着用したときの方が、比較例１の寝衣を着用した場合に比べて、就床直後に手背及び腹の皮膚温度が上昇した。これは、皮膚からの熱を外部に放出していることを示し、寝衣内温度は低いと考えられる。このため、首周りに位置する最内周の生地のｑmax値が、他のいずれかに位置する生地のｑmax値よりも高い実施例１の寝衣を着用した方が、動脈を冷やすことにより、体の深部を冷やすことができるので、寝つきを改善することができることがわかった。
【００４６】
ここで、本実施例では、首周りに位置する最内周の生地のｑmax値が他のいずれかに位置する生地のｑmax値よりも高いことによる効果について調べたが、本発明者は、脇に位置する最内周の生地及び内太ももに位置する最内周の生地のｑmax値が、他のいずれかに位置する生地のｑmax値よりも高い場合にも同様の効果を有するという知見を得ている。
【００４７】
今回開示された実施の形態及び実施例はすべての点で例示であって制限的なものではないと考えられるべきである。本発明の範囲は上記した実施の形態及び実施例ではなくて特許請求の範囲によって示され、特許請求の範囲と均等の意味及び範囲内でのすべての変更が含まれることが意図される。
【符号の説明】
【００４８】
１００  上衣、１１０  左前身頃、１１１  係止部、１２０  右前身頃、１２１  ボタン、１３０  後身頃、１４０  衿部、１４１  土台部、１４２  折返部、１５０  左腕部、１６０  右腕部、１７１〜１７３，２４０  冷感部、１８１，１８２  縫合部、２００  下衣、２１０  左足部、２２０  右足部、２３０  履き口部。
【図１】
2013044062.tif 000003
【図２】
2013044062.tif 000004
【図３】
2013044062.tif 000005
【図４】
2013044062.tif 000006
【図５】
2013044062.tif 000007
【図６】
2013044062.tif 000008
【図７】
2013044062.tif 000009
【図８】
2013044062.tif 000010
【図９】
2013044062.tif 000011
【図１０】
2013044062.tif 000012
【図１１】
2013044062.tif 000013